(57)【要約】【課題】デリケート衣類とそれ以外の衣類を同時に分け洗いできるドラム式洗濯機を提供すること。【解決手段】筐体１と、有底円筒状に形成された回転ドラム３と、筐体１内に揺動自在に配設され回転ドラム３を回転自在に内包する水槽２と、回転ドラム３を回転駆動するモータと、前面に扉体５を備え、扉体５の空間部分に主にデリケート衣類を洗濯するための第２の洗濯槽を配設する構成とし、これによりデリケートな衣類とそれ以外の衣類を別槽、すなわち水分離した状態で、同時に分け洗いすることができる。【選択図】図１
2017148090.tif 000002
【特許請求の範囲】
【請求項１】
筺体と、有底円筒状に形成された回転ドラムと、前記筺体内に揺動自在に配設され前記回転ドラムを回転自在に内包する水槽と、前記回転ドラムを回転駆動するモータと、前面に開閉ドアを備え、前記開閉ドアの空間部分に第２の洗濯槽を配設したドラム式洗濯機。
【請求項２】
前記第２の洗濯槽は、第２の水受け槽と第２の回転ドラムの２重構造からなり、前記開閉ドアに前記第２の回転ドラムを駆動させるための機構を配設した請求項１に記載のドラム式洗濯機。
【請求項３】
前記第２の回転ドラムの前記第２の水受け槽への支持は複数個のベアリングで行い、前記第２の回転ドラムの駆動機構として、第２のモータと前記第２の回転ドラムに動力を伝えるプーリー間はベルト駆動、前記プーリーと前記第２の回転ドラム間はギア駆動とすることを特徴とする請求項２に記載のドラム式洗濯機。
【請求項４】
前記第２の回転ドラムを支持する前記ベアリングと前記第２の水受け槽の間に、弾性体を配設したことを特徴とする請求項３に記載のドラム式洗濯機。
【請求項５】
前記第２の洗濯槽には、開閉自在な蓋体を配設したことを特徴とする請求項１〜４のいずれか１項に記載のドラム式洗濯機。
【発明の詳細な説明】
【技術分野】
【０００１】
本発明は、洗い、すすぎ、脱水工程を行なうドラム式洗濯機に関するものである。
【背景技術】
【０００２】
従来、この種のドラム式洗濯機は、ウールやシルク等のデリケートな衣類の洗濯に対して、布傷みや縮み等の損傷を与えないための制御方式が提案されている（例えば、特許文献１参照）。
【０００３】
図６は、特許文献１に記載された従来のドラム式洗濯機の縦断面図、図７は、同ドラム式洗濯機のドライコースにおける水位の時間変化を示す図である。
【０００４】
図６及び図７において、筺体４９の内部に揺動自在に水槽４３が配設され、水槽４３内には、回転ドラム４１が回転自在に配設されている。回転ドラム４１の回転中心に設けられた回転軸４４にモータ４５が連結され、モータ４５により回転ドラム４１が正転、逆転方向に回転駆動される。回転ドラム４１の内壁面には、洗濯物を撹拌するための数個の突起板４６が設けられている。
【０００５】
筺体４９上部には給水弁５４が配設されて水槽４３内に適時に給水され、水位検知手段５６にて給水された洗濯水の水圧により複数段の水位を検知することができる。また、水槽４３下部に配設された排水弁５３は、その開閉により水槽４３内の洗濯水を機外へ排出する。
【０００６】
運転コース等のモードや各種機能の選択は、使用者が筺体４９前面上部に設けられた操作表示手段６１から入力設定手段（図示せず）へ入力して行ない、その入力情報を基に表示手段（図示せず）に表示して使用者に知らせる。
【０００７】
以上の構成にて、デリケートな衣類を洗うためにドライコースが選択されると、洗い工程において、時刻ｔ０では、水槽４３内に５０ｍｍまで給水され、時刻ｔ０からｔ１では７０ｍｍの水位まで給水しながら回転ドラム４１を回転させて、衣類への洗濯水の浸透、洗剤の泡立て等が行なわれる。
【０００８】
時刻ｔ１からｔ２の期間では、７０ｍｍの水位で揺り洗い工程Ａを実行する。揺り洗い工程Ａでは、２０ｒ／ｍｉｎで正面視右回転＋４５°の回転角度だけ回転ドラム４１を回転させ、同じ回転数で−４５°の回転角度だけ回転ドラム４１を回転させる反復動作を２回行ない、その後、４０ｒ／ｍｉｎで３６０°を１回だけ回転させる。
【０００９】
この揺り洗いの動作を、水位を上げながら水位１５０ｍｍまで計５段階行なって洗い工程を実行し、洗い工程終了後、排水工程、脱水工程へと移行していく。
【先行技術文献】
【特許文献】
【００１０】
【特許文献１】特開２００５−１３１１１７号公報
【発明の概要】
【発明が解決しようとする課題】
【００１１】
しかしながら、前記従来の構成では、デリケートな衣類を丁寧に洗うのは良いが、デリケート衣類を洗濯している間はデリケート衣類以外の衣類を洗濯できずに複数回に分けて
洗濯する必要があるため、時間を浪費するという課題があった。また、デリケート衣類とそれ以外の衣類を洗濯する時にコース設定を変更する手間が生じていた。
【００１２】
本発明は、デリケート衣類を洗濯している間にもデリケート衣類以外の衣類を同時に、しかも洗濯水を分離した状態で分け洗いできるため、複数回に分けて洗濯するといった時間の浪費を防ぐことができ、また、衣類の種類ごとにコース設定を変更する手間を省くことができる。
【課題を解決するための手段】
【００１３】
前記従来の課題を解決するために、本発明のドラム式洗濯機は、筺体と、有底円筒状に形成された回転ドラムと、前記筺体内に揺動自在に配設され前記回転ドラムを回転自在に内包する水槽と、前記回転ドラムを回転駆動するモータと、前面に開閉ドアを備え、前記開閉ドアの空間部分に主にデリケート衣類を洗濯するための第２の洗濯槽を配設する構成としたものである。
【００１４】
これによって、デリケートな衣類とそれ以外の衣類を別槽で、同時に分け洗いすることができる。
【発明の効果】
【００１５】
本発明により、デリケートな衣類を、それ以外の衣類と別槽で、同時に分け洗いすることができるため、洗濯時間の浪費を防ぐことができる。
【図面の簡単な説明】
【００１６】
【図１】本発明の実施の形態１におけるドラム式洗濯機の概略縦断面図
【図２】図１のＡ部分拡大図
【図３】同ドラム式洗濯機の左側斜視図
【図４】同ドラム式洗濯機の右側斜視断面図
【図５】同ドラム式洗濯機の回転ドラムおよび第２の回転ドラムの右側後方からの斜視断面図
【図６】従来のドラム式洗濯機の縦断面図
【図７】同ドラム式洗濯機のドライコースにおける水位の時間変化を示す図
【発明を実施するための形態】
【００１７】
第１の発明は、筺体と、有底円筒状に形成された回転ドラムと、前記筺体内に揺動自在に配設され前記回転ドラムを回転自在に内包する水槽と、前記回転ドラムを回転駆動するモータと、前面に開閉ドアを備え、前記開閉ドアの空間部分に第２の洗濯槽を配設する構成とすることにより、主にデリケート衣類などの小物衣類とその他の衣類を別槽、すなわち水分離した状態で、同時に分け洗いすることができるため、洗濯時間の浪費を防ぐことができ、また、衣類の種類ごとにコース設定を変更する手間を省くことができる。
【００１８】
第２の発明は、前記第２の洗濯槽は、第２の水受け槽と第２の回転ドラムの２重構造からなり、前記開閉ドアに前記第２の回転ドラムを駆動させるための機構を配設する構成とすることにより、第２の洗濯槽では前記水槽（第１の洗濯槽）と異なる機械的な負荷を衣類に与えて洗濯することができるので、デリケート衣類などの小物衣類に適した洗濯を第２の洗濯槽を使って行うことができる。
【００１９】
第３の発明は、前記第２の回転ドラムの前記第２の水受け槽への支持は複数個のベアリングで行い、前記第２の回転ドラムの駆動機構として、第２のモータと前記第２の回転ドラムに動力を伝えるプーリー間はベルト駆動、前記プーリーと前記第２の回転ドラム間はギア駆動とすることを特徴としている。これにより、ダイレクトドライブ機構を採用した
時のような製品前面方向もしくは前記水槽（第１の洗濯槽）へのモータ機構の突出を防止することができる。
【００２０】
第４の発明は、前記第２の回転ドラムを支持する前記ベアリングと前記第２の水受け槽の間に、弾性体を配設する構成とすることにより、第２の回転ドラムの振動が第２の洗濯槽と接触する前記筐体や前記水槽（第１の洗濯槽）へ伝達するのを抑制できる。
【００２１】
第５の発明は、前記第２の洗濯槽には、開閉自在な蓋体を配設されたことを特徴としている。これにより、第２の洗濯槽への衣類の投入・取出しが可能となり、前記水槽（第１の洗濯槽）へ投入した衣類との混在を防止することができる。
【００２２】
以下、本発明の実施の形態について、図面を参照しながら説明する。なお、この実施の形態によって本発明が限定されるものではない。
【００２３】
（実施の形態１）
図１は、本発明の実施の形態１におけるドラム式洗濯機の概略縦断面図、図２は、図１のＡ部分拡大図、図３は、同ドラム式洗濯機の左側斜視図、図４は、マドカバーを図示した同ドラム式洗濯機の右側斜視断面図、図５は、回転ドラムおよび第２の回転ドラムの右側後方からの斜視断面図である。
【００２４】
図１において、筐体１の内部に揺動自在に水槽２（第１の洗濯槽）が配設され、水槽２内には、有底円筒状の回転ドラム３が回転自在に配設されている。回転ドラム３の回転中心に回転軸（回転中心軸）４が設けられ、回転軸４に、水槽２の背面側近傍に取り付けたモータ（図示せず）が連結され、モータにより回転ドラム３が正転、逆転方向に回転駆動される。
【００２５】
回転ドラム３の内壁面には、洗濯物を撹拌するための数個の突起体（図示せず）が内方に突出させて設けられている。
【００２６】
図２において、筐体１の前面には、開閉自在の開閉ドアである扉体５が設けられ、扉体５を開けて洗濯物を回転ドラム３内へ投入するようになっている。
【００２７】
扉体５は、第２の洗濯槽の役割を有しており、第２の洗濯槽は、扉体５の空間部分に略円錐台形状に形成されている。第２の洗濯槽は、外周に複数の通水孔６を形成した第２の回転ドラム７と、第２の回転ドラム７を回転自在に内包する第２の水受け槽８から構成されており、第２の回転ドラム７を駆動させるための第２のモータ９（図１参照）が扉体５の任意の箇所に配設されている。さらに、第２の回転ドラム７の内壁面には、洗濯物を撹拌するための数個のバッフル１０が内方に突出させて設けられている（図１参照）。
【００２８】
第２の回転ドラム７は、第２の水受け槽８に弾性的に取付けられた複数個のベアリング１５により前後の外周部で回転自在に支持されている。ベアリング１５と第２の水受け槽８の間に弾性体１６を配設し、弾性体１６には、スプリングやゴムなどを第２の回転ドラム７に加わる遠心力に応じて選定し、第２の回転ドラム７のラジアル方向の振動が第２の洗濯槽と接触する筐体１や第１の洗濯槽である水槽２へ伝達するのを抑制している。また、第２の回転ドラム７の外周部には、複数個のベアリング１５を配設するための溝１７が設けられており、スラスト方向への飛び出しを防止する構成としている。
【００２９】
なお、第２の回転ドラム７の後部の支持構成においては、弾性体１６を省略してもよいし、回転をスムーズに行えるように、溝１７の代わりに片側に壁面のない段部としてもよい。
【００３０】
図３において、第１プーリー１１は第２のモータ９と、第２プーリー１２は第２の回転ドラム７に連結されたギア１３とそれぞれ直結され、第１プーリー１１と第２プーリー１２は、ベルト１４で連結されることで、第２のモータ９が回転すると第２の回転ドラム７が駆動する仕組みとなっている。
【００３１】
第２の回転ドラム７の駆動にギア１３を用いたのは、洗浄水によるスリップを防止するためである。また、第２の回転ドラム７を駆動するために、第２のモータ９と直結したダイレクトドライブ方式を採用しなかったのは、製品前面方向、もしくは、水槽２（第１の洗濯槽）へのモータ機構の突出を防止するためである。しかしながら、本発明は、これらの構成に限定されるものではない。
【００３２】
図４において、マドカバー１８は、第２の洗濯槽を閉空間とするためのものである。ただし、第２の洗濯槽が完全な密閉空間であると、そこに洗浄水を供給することができないため、第２の洗濯槽の上部に空気孔（図示せず）が設けられている。
【００３３】
マドカバー１８及び第２の回転ドラム７の前面板が透明色であると、第２の洗濯槽における洗濯状況を確認することができる。また、第２の洗濯槽を兼ねる前面の開閉ドアである扉体５はヒンジ（図示せず）を中心に回転して開閉するが、第２の洗濯槽への給排水用のフレキシブルなホース（図示せず）が、ヒンジ近傍に設けられている。給水用のホースをヒンジ上方に、排水用のホースをヒンジ下方に設けると、ポンプなどを使用せずに給排水機構を構成できる。
【００３４】
第２の洗濯槽を使用しての洗い、すすぎ、脱水の一連の洗濯動作は、第２のモータ９をそれぞれの工程に応じた回転数に調整し、給排水機構を使用することによって行われる。なお、図示はしないが、安全性やデザイン性の向上の観点から、第１プーリー１１、第２プーリー１２、それらを連結するベルト１４、及び給排水用ホースを覆う保護カバーが製品前面側に設けられている。
【００３５】
図５において、開閉自在な蓋体１９が第２の洗濯槽の後方に配設され、蓋体１９に取付けられたレバー２０などにより蓋体１９の開閉が可能となる。蓋体１９を第２の洗濯槽の後方に配設したのは、扉体５を開いた状態で第２の洗濯槽の蓋体１９を開くと、回転ドラム３と第２の回転ドラム７への衣類の分別投入が行い易くなるためである。この際、第２の洗濯槽の蓋体１９に取付けられたレバー２０は、回転ドラム３に投入された衣類と接触することがあるため、衣類の損傷を回避するよう可能な限り滑らかな形状としてある。
【００３６】
また、開閉自在な蓋体１９を第２の洗濯槽の前方に配設する構成とすると、扉体５を開くことなく第２の洗濯槽の蓋体１９を開閉できるため、デリケート衣類などの小物衣類を第２の洗濯槽のみで運転する場合などには好都合である。
【００３７】
以上のように、本発明のドラム式洗濯機によれば、回転ドラムの前面に設けた開閉ドアの空間部分に第２の洗濯槽を配設する構成とすることにより、主にデリケート衣類などの小物衣類とその他の衣類を別槽、すなわち水分離した状態で、同時に分け洗いすることができるため、洗濯時間の浪費を防ぐことができ、また、衣類の種類ごとにコース設定を変更する手間を省くことができる。
【００３８】
また、開閉ドアに第２の回転ドラムを駆動させるための機構を配設する構成とすることにより、第２の洗濯槽では水槽（第１の洗濯槽）と異なる機械的な負荷を衣類に与えて洗濯することができるので、デリケート衣類などの小物衣類に適した洗濯を第２の洗濯槽を使って行うことができる。
【００３９】
また、第２の回転ドラムの第２の水受け槽への支持は、複数個のベアリングで行う構成としており、第２の回転ドラムの駆動機構として、第２のモータとプーリー間はベルト駆動、プーリーと第２の回転ドラム間はギア駆動とすることにより、ダイレクトドライブ機構を採用した時のような製品前面方向、もしくは水槽（第１の洗濯槽）へのモータ機構の突出を防止することができる。
【００４０】
また、第２の回転ドラムを支持するベアリングと第２の水受け槽の間に、弾性体を配設する構成とすることにより、第２の回転ドラムの振動が第２の洗濯槽と接触する筐体や第１の洗濯槽である水槽へ伝達するのを抑制できる。
【００４１】
さらに、第２の洗濯槽には、開閉自在な蓋体を配設することにより、第２の洗濯槽への衣類の投入・取出しが可能となり、第１の洗濯槽である水槽へ投入した衣類との混在を防止し、分け洗いを適切に行うことができる。
【産業上の利用可能性】
【００４２】
本発明は、洗濯機の開閉ドアの空間部分に第２の洗濯槽を配設する構成とすることにより、主にデリケート衣類などの小物衣類とその他の衣類を別槽、すなわち水分離した状態で、同時に分け洗いすることができるので、限られた設置スペースで衣類に応じた分け洗い等の多様な洗濯を短時間で行うことが必要とされる家庭用のドラム式洗濯機等として有用である。
【符号の説明】
【００４３】
１  筐体
２  水槽
３  回転ドラム
４  回転軸
５  扉体（開閉ドア）
６  通水孔
７  第２の回転ドラム
８  第２の水受け槽
９  第２のモータ
１０  バッフル
１１  第１プーリー
１２  第２プーリー（プーリー）
１３  ギア
１４  ベルト
１５  ベアリング
１６  弾性体
１７  溝
１８  マドカバー
１９  蓋体
２０  レバー
【図１】
2017148090.tif 000003
【図２】
2017148090.tif 000004
【図３】
2017148090.tif 000005
【図４】
2017148090.tif 000006
【図５】
2017148090.tif 000007
【図６】
2017148090.tif 000008
【図７】
2017148090.tif 000009